(57)【要約】【課題】  光ディスクの層数や記録層の種別を高速かつ確実に判定する。【解決手段】  光ビームの焦点をカバー層側から光ディスク１００に接近させていき、和信号ＳＵＭの信号レベルが区間検出閾値を上回る最後の区間を検出対象区間として認識し、検出対象区間における迷光信号Ｘのボトム値Ｂｎが第１の迷光ボトム閾値ＴＨｂ１以上のとき、２層ディスクであると判定するようにした。さらに、検出対象区間における迷光信号Ｘのボトム値Ｂｎが、第１の迷光ボトム閾値ＴＨｂ１よりも小さい第２の迷光ボトム閾値ＴＨｂ２以上であり、かつ当該検出対象区間におけるフォーカスエラー信号ＦＥの最大振幅Ｗｎが第１のフォーカスエラー閾値ＴＨｗ１以下のとき、２層ディスクであると判定するようにした。【選択図】        図１２
2006155791.tif 000002
【特許請求の範囲】
【請求項１】
読み出し専用又は記録可能な記録層を１層又は２層有する光ディスクに対し、光ビームを照射して情報の記録又は再生を行う光ディスク装置において、
上記光ビームを集光して上記光ディスクに照射する対物レンズと、
上記対物レンズを上記光ビームの光軸方向に駆動して当該光ビームの焦点位置を移動させる駆動手段と、
上記光ビームの反射光を受光し、一の記録層からの反射光の光量を示す和信号と、当該光ビームの焦点位置から当該一の記録層までの距離に応じた信号レベルを焦点位置から所定範囲出力するフォーカスエラー信号と、他の記録層からの反射光でなる迷光の光量を示す迷光信号とを生成する受光手段と、
上記光ビームの焦点をカバー層側から上記光ディスクに接近させていき、上記和信号の信号レベルが区間検出閾値を上回る最後の区間を検出対象区間として認識する区間認識手段と、
上記検出対象区間における上記フォーカスエラー信号及び迷光信号に基づいて、上記光ディスクの層数及び上記記録層の種別を識別するディスク種別識別手段と
を具えることを特徴とする光ディスク装置。
【請求項２】
上記ディスク種別識別手段は、
上記検出対象区間における上記迷光信号のボトム値が第１の迷光ボトム閾値以上のとき、上記光ディスクは２層ディスクであると判定する
ことを特徴とする請求項１に記載の光ディスク装置。
【請求項３】
上記ディスク種別識別手段は、
上記検出対象区間における上記迷光信号のボトム値が、上記第１の迷光ボトム閾値よりも小さい第２の迷光ボトム閾値以上であり、かつ当該検出対象区間におけるフォーカスエラー信号の最大振幅が第１のフォーカスエラー閾値以下のとき、上記光ディスクは２層ディスクであると判定する
ことを特徴とする請求項２に記載の光ディスク装置。
【請求項４】
上記ディスク種別識別手段は、２層ディスクであると判定した光ディスクについて、上記検出対象区間におけるフォーカスエラー信号の最大振幅が第２のフォーカスエラー閾値以上のとき、上記光ディスクは２層の読み出し専用ディスクであると判定し、第２のフォーカスエラー閾値未満のとき、上記光ディスクは２層の記録可能なディスクであると判定する
ことを特徴とする請求項２に記載の光ディスク装置。
【請求項５】
上記ディスク種別識別手段は、１層ディスクであると判定した光ディスクについて、上記検出対象区間におけるフォーカスエラー信号の最大振幅が第３のフォーカスエラー閾値以上のとき、上記光ディスクは１層の読み出し専用ディスクであると判定し、第３のフォーカスエラー閾値未満のとき、上記光ディスクは１層の記録可能なディスクであると判定する
ことを特徴とする請求項２に記載の光ディスク装置。
【請求項６】
読み出し専用又は記録可能な記録層を１層又は２層有する光ディスクに対し、光ビームを照射して情報の記録又は再生を行う光ディスク装置における、装着された上記光ディスクの種別を判別するディスク種別判定方法において、
上記光ビームの反射光を受光し、一の記録層からの反射光の光量を示す和信号と、当該光ビームの焦点位置から当該一の記録層までの距離に応じた信号レベルを焦点位置から所定範囲出力するフォーカスエラー信号と、他の記録層からの反射光でなる迷光の光量を示す迷光信号とを生成する信号生成ステップと、
上記光ビームの焦点をカバー層側から上記光ディスクに接近させていき、上記和信号の信号レベルが区間検出閾値を上回る最後の区間を検出対象区間として認識する区間認識ステップと、
上記検出対象区間における上記フォーカスエラー信号及び迷光信号に基づいて、上記光ディスクの層数及び上記記録層の種別を識別するディスク種別識別ステップと
を具えることを特徴とするディスク種別判定方法。
【請求項７】
上記ディスク種別識別ステップは、
上記検出対象区間における上記迷光信号のボトム値が第１の迷光ボトム閾値以上のとき、上記光ディスクは２層ディスクであると判定する
ことを特徴とする請求項６に記載のディスク種別判定方法。
【請求項８】
上記ディスク種別識別ステップは、
上記検出対象区間における上記迷光信号のボトム値が上記第１の迷光ボトム閾値よりも小さい第２の迷光ボトム閾値以上であり、かつ当該検出対象区間におけるフォーカスエラー信号の最大振幅が第１のフォーカスエラー閾値以下のとき、上記光ディスクは２層ディスクであると判定する
ことを特徴とする請求項７に記載のディスク種別判定方法。
【請求項９】
上記ディスク種別識別ステップは、２層ディスクであると判定した光ディスクについて、上記検出対象区間におけるフォーカスエラー信号の最大振幅が第２のフォーカスエラー閾値以上のとき、上記光ディスクは２層の読み出し専用ディスクであると判定し、第２のフォーカスエラー閾値未満のとき、上記光ディスクは２層の記録可能なディスクであると判定する
ことを特徴とする請求項７に記載のディスク種別判定方法。
【請求項１０】
上記ディスク種別識別手段は、１層ディスクであると判定した光ディスクについて、上記検出対象区間におけるフォーカスエラー信号の最大振幅が第３のフォーカスエラー閾値以上のとき、上記光ディスクは１層の読み出し専用ディスクであると判定し、第３のフォーカスエラー閾値未満のとき、上記光ディスクは１層の記録可能なディスクであると判定する
ことを特徴とする請求項７に記載のディスク種別判定方法。
【請求項１１】
読み出し専用又は記録可能な記録層を１層又は２層有する光ディスクに対し、光ビームを照射して情報の記録又は再生を行う光ディスク装置における、装着された上記光ディスクの種別を判別するディスク種別判定装置において、
上記光ビームを集光して上記光ディスクに照射する対物レンズを当該光ビームの光軸方向に駆動して焦点位置を移動させる駆動手段と、
上記光ビームの焦点を上記カバー層側から上記光ディスクに接近させていき、一の記録層からの反射光の光量を示す和信号の信号レベルが区間検出閾値を上回る最後の区間を検出対象区間として認識する区間認識手段と、
上記検出対象区間における、上記光ビームの焦点位置から一の記録層までの距離に応じた信号レベルを焦点位置から所定範囲出力するフォーカスエラー信号、及び他の記録層からの反射光でなる迷光の光量を示す迷光信号に基づいて、上記光ディスクの層数及び上記記録層の種別を識別するディスク種別識別手段と
を具えることを特徴とするディスク種別判定装置。
【請求項１２】
上記ディスク種別識別手段は、
上記検出対象区間における上記迷光信号のボトム値が第１の迷光ボトム閾値以上のとき、上記光ディスクは２層ディスクであると判定する
ことを特徴とする請求項１１に記載のディスク種別判定装置。
【請求項１３】
上記ディスク種別識別手段は、
上記検出対象区間における上記迷光信号のボトム値が、上記第１の迷光ボトム閾値よりも小さい第２の迷光ボトム閾値以上であり、かつ当該検出対象区間におけるフォーカスエラー信号の最大振幅が第１のフォーカスエラー閾値以下のとき、上記光ディスクは２層ディスクであると判定する
ことを特徴とする請求項１２に記載のディスク種別判定装置。
【請求項１４】
上記ディスク種別識別手段は、２層ディスクであると判定した光ディスクについて、上記検出対象区間におけるフォーカスエラー信号の最大振幅が第２のフォーカスエラー閾値以上のとき、上記光ディスクは２層の読み出し専用ディスクであると判定し、第２のフォーカスエラー閾値未満のとき、上記光ディスクは２層の記録可能なディスクであると判定する
ことを特徴とする請求項１２に記載のディスク種別判定装置。
【請求項１５】
上記ディスク種別識別手段は、１層ディスクであると判定した光ディスクについて、上記検出対象区間におけるフォーカスエラー信号の最大振幅が第３のフォーカスエラー閾値以上のとき、上記光ディスクは１層の読み出し専用ディスクであると判定し、第３のフォーカスエラー閾値未満のとき、上記光ディスクは１層の記録可能なディスクであると判定する
ことを特徴とする請求項１２に記載のディスク種別判定装置。
【発明の詳細な説明】
【技術分野】
【０００１】
本発明は光ディスク装置、ディスク種別判定方法及びディスク種別判定装置に関し、複数の記録層を有する光ディスクに対して記録又は再生を行う光ディスク装置に適用して好適なものである。
【背景技術】
【０００２】
従来、光ディスクの記憶容量を拡大するために、情報を蓄積する記録層を光ディスクの厚み方向へ多層積層した多層光ディスクが実用化されている。かかる多層光ディスクに対して情報を記録又は再生をする場合、対物レンズによる光ビームの焦点を目標の記録層へ合致させる必要がある。
【０００３】
ところで多層光ディスクは、その記録層の層数によって反射特性が異なる。また光ディスクには、ＣＤ−ＲＯＭ（Compact Disc-Read Only Memory）やＤＶＤ−ＲＯＭ（Digital Versatile Disc-Read Only Memory）のような読み出し専用ディスク、ＣＤ−Ｒ（Recordable）やＤＶＤ−Ｒのような記録可能ディスク、ＣＤ−ＲＷ（Rewritable）やＤＶＤ−ＲＷのような再記録可能ディスクがあり、これらのフォーマットによっても反射特性が異なる。
【０００４】
このため、光ディスクに対して情報を記録又は再生をするにあたっては、当該光ディスクのフォーマットや層数等に応じて光ビームの出力や球面収差を適宜補正する必要がある（例えば、特許文献１参照）。
【特許文献１】特開２００１−１１００６８公報
【発明の開示】
【発明が解決しようとする課題】
【０００５】
ところで近年、短波長の青紫色レーザと高開口数の対物レンズとを用いることで大記憶容量化を実現した光ディスクであるブルーレイディスク（商標）が実用化されている。かかるブルーレイディスクにおいては、要求される記憶容量に応じて、単一の記録層を有する１層のＢＤ−ＳＬ（Blu-lay Disc Single Layer）と、２つの記録層をディスクの厚み方向へ積層した２層のＢＤ−ＤＬ（Dual Layer）とが規格化されている。またブルーレイディスクは従来のＣＤやＤＶＤと同様、再記録可能なＢＤ−ＲＥ（Rewritable) 、一回記録可能なＢＤ−Ｒ、読み出し専用のＢＤ−ＲＯＭの３種のフォーマットが規格化されている。
【０００６】
このためブルーレイディスクを記録・再生する光ディスク装置は、そのブルーレイディスクがＢＤ−ＳＬかＤＬのどちらであるか、またＢＤ−ＲＥ、ＢＤ−Ｒ、ＢＤ−ＲＯＭのいずれかであるかを判別する必要がある。
【０００７】
ところが、このようなディスク種別を判別するには、光ビームの出力や焦点位置を試行錯誤で変化させながら読み出しを繰り返し、読み出せた記録信号に基づいてディスク種別を確定するため、記録や再生を開始するまでに大幅なタイムロスが生じるという問題点がある。
【０００８】
本発明は以上の点を考慮してなされたものであり、簡易な構成で、高速かつ確実に光ディスクの種別を判定し得る光ディスク装置、光ディスク種別判定方法及び光ディスク種別判定装置を提案しようとするものである。
【課題を解決するための手段】
【０００９】
かかる課題を解決するため本発明においては、読み出し専用又は記録可能な記録層を１層又は２層有する光ディスクに対し、光ビームを照射して情報の記録又は再生を行う光ディスク装置において、光ビームを集光して光ディスクに照射する対物レンズと、対物レンズを光ビームの光軸方向に駆動して当該光ビームの焦点位置を移動させる駆動手段と、光ビームの反射光を受光し、一の記録層からの反射光の光量を示す和信号と、当該光ビームの焦点位置から当該一の記録層までの距離に応じた信号レベルを焦点位置から所定範囲出力するフォーカスエラー信号と、他の記録層からの反射光でなる迷光の光量を示す迷光信号とを生成する受光手段と、光ビームの焦点をカバー層側から光ディスクに接近させていき、和信号の信号レベルが区間検出閾値を上回る最後の区間を検出対象区間として認識する区間認識手段と、検出対象区間におけるフォーカスエラー信号及び迷光信号に基づいて、光ディスクの層数及び記録層の種別を識別するディスク種別識別手段とを光ディスク装置に設けた。
【００１０】
そしてディスク種別識別手段は、検出対象区間における迷光信号のボトム値が第１の迷光ボトム閾値以上のとき、光ディスクは２層ディスクであると判定するようにした。
【００１１】
これにより、光ディスクに対してフォーカスサーボが掛かる前の時点で、当該光ディスクの層数を判定することができる。
【００１２】
さらにディスク種別識別手段は、検出対象区間における迷光信号のボトム値が、第１の迷光ボトム閾値よりも小さい第２の迷光ボトム閾値以上であり、かつ当該検出対象区間におけるフォーカスエラー信号の最大振幅が第１のフォーカスエラー閾値以下のとき、光ディスクは２層ディスクであると判定するようにした。
【００１３】
これにより、迷光信号のボトム値が近接する２層の記録可能ディスクと１層の読み出し専用ディスクとを、確実に判別することができる。
【００１４】
さらにディスク種別識別手段は、２層ディスクであると判定した光ディスクについて、検出対象区間におけるフォーカスエラー信号の最大振幅が第２のフォーカスエラー閾値以上のとき、光ディスクは２層の読み出し専用ディスクであると判定し、第２のフォーカスエラー閾値未満のとき、光ディスクは２層の記録可能ディスクであると判定するようにした。
【００１５】
またディスク種別識別手段は、１層ディスクであると判定した光ディスクについて、検出対象区間におけるフォーカスエラー信号の最大振幅が第３のフォーカスエラー閾値以上のとき、光ディスクは１層の読み出し専用ディスクであると判定し、第３のフォーカスエラー閾値未満のとき、光ディスクは１層の記録可能ディスクであると判定するようにした。
【００１６】
これにより、読み出し専用ディスクと記録可能ディスクとを確実に判別することができる。
【発明の効果】
【００１７】
本発明によれば、光ディスクの層数や読み出し専用か記録可能かといったディスク種別を、フォーカスサーボが掛かる前の時点で、高速かつ確実に判別することができる。
【発明を実施するための最良の形態】
【００１８】
以下図面について、本発明の一実施の形態を詳述する。
【００１９】
（１）光ディスク装置の全体構成
図１において、１は全体として本発明によるブルーレイディスク対応の光ディスク装置を示し、焦点位置制御装置としてのマイクロコンピュータ６が不揮発性メモリ１１に格納された基本プログラムやディスク種別判別プログラム（後述）等のアプリケーションプログラムに従って光ピックアップ３や当該光ディスク装置１全体を統括制御するようになされており、外部から供給されるリード／ライトコマンドに応じて動作し、ブルーレイディスクでなる光ディスク１００に対してデータの記録及び再生を行うようになされている。
【００２０】
また不揮発性メモリ１１には、後述するディスク種別判別処理で用いる各種設定値も記憶されている。
【００２１】
光ディスク１００は図示しないターンテーブルに載置され、スピンドルモータ（図示せず）によって回転駆動され、光ピックアップ３によって、光ディスク１００に記録されているデータやウォブリンググルーブによるＡＤＩＰ（Address In Pre Groove）情報等の読み出しが行なわれる。
【００２２】
ここで図２に示すように光ピックアップ３は、レーザダイオード２０から光ビームＬ１を発射し、コリメータレンズ２１、ビームスプリッタ２２，レーザ光の球面収差を補正するエキスパンダ２３の可動レンズ２３Ａ及び固定レンズ２３Ｂ、レーザ光の出力端となる対物レンズ２４を順次介して光ディスク１００に照射する。
【００２３】
ちなみに光ピックアップ５は、対物レンズ２４の開口数が０．８５と大きいために生じるレーザ光Ｌ１の球面収差を、球面収差補正手段としてのエキスパンダ２３によって補正するようになされている。
【００２４】
すなわち、エキスパンダ２３の可動レンズ２３Ａはアクチュエータ２７によって矢印ａ方向及びｂ方向に移動可能に保持されており、ドライバ回路１８（図１）からのエキスパンダサーボ信号ＣＥに基づいて当該アクチュエータ２７を駆動することにより、光ビームＬ１の球面収差を適切に補正するようになされている。
【００２５】
また対物レンズ２４は、駆動手段としての２軸アクチュエータ２８によってフォーカス方向（すなわち矢印ａ方向及びｂ方向）及びトラッキング方向に移動可能に保持されており、ドライバ回路１７（図１）からのフォーカスサーボ信号ＣＦ及びトラッキングサーボ信号ＣＴに基づいて当該２軸アクチュエータ２８を駆動することにより、光ビームＬ１のフォーカシング及びトラッキングを制御する。
【００２６】
そして光ピックアップ５は、光ディスク１００の記録面で反射された反射光ビームＬ２を、対物レンズ２４、エキスパンダ２３の固定レンズ２３Ｂ及び可動レンズ２３Ａを順次介し、ビームスプリッタ２２によって反射させ、回折格子２９及びコリメータレンズ２５を介してフォトディテクタ２６に入射させる。
【００２７】
受光手段としてのフォトディテクタ２６は入射光に応じた受光信号Ａ〜Ｊを生成し、サーボエラー信号生成回路４に供給する。サーボエラー信号生成回路４は次式を用いて再生ＲＦ信号、フォーカスエラー信号ＦＥ及びトラッキングエラー信号ＴＥを生成し、これらをアナログディジタル変換器５に供給する。
【００２８】
ＲＦ＝Ａ＋Ｂ＋Ｃ＋Ｄ
ＦＥ＝（Ａ＋Ｃ）−（Ｂ＋Ｄ）
ＴＥ＝（Ａ＋Ｄ）−（Ｂ＋Ｃ）−ｋ｛（Ｅ−Ｆ）＋（Ｇ−Ｈ）｝  ……（１）
【００２９】
アナログディジタル変換器５は再生ＲＦ信号、フォーカスエラー信号ＦＥ及びトラッキングエラー信号ＴＥをディジタル変換し、マイクロコンピュータ６に供給する。
【００３０】
マイクロコンピュータのフォーカス制御部１２はフォーカスエラー信号ＦＥ及びトラッキングエラー信号ＴＥに基づき、光ビームの焦点を光ディスク１００の記録層に合致させるためのフォーカスサーボ制御信号及びトラッキングサーボ制御信号を生成し、ディジタルアナログ変換器１５を介してドライバ回路１７に供給する。ドライバ回路１７はフォーカスサーボ制御信号及びトラッキングサーボ制御信号に基づいてフォーカスサーボ信号ＣＦ及びトラッキングサーボ信号ＣＴを生成し、光ピックアップ３に供給する。
【００３１】
また球面収差補正部１３は、目標の記録層に応じた球面収差制御信号を生成し、ディジタルアナログ変換器１６を介してドライバ回路１８に供給する。ドライバ回路１８は球面収差制御信号に基づいてエキスパンダサーボ信号ＣＥを生成し、光ピックアップ３に供給する。
【００３２】
かくして光ディスク装置１は、光ディスク１００の目標の記録面に対して光ビームの球面収差を補正して焦点を合致させ、情報の再生や記録を行うようになされている。
【００３３】
（２）フォトディテクタの構成
図３に示すようにフォトディテクタ２６は、光ディスク１００における目標の記録層からの戻り光を検出するための第１の光検出部３１と、他の記録層からの反射光（これを迷光と呼ぶ）を検出するための第２の光検出部３２とを有している。
【００３４】
第１の光検出部３１は、１つの４分割光検出素子３３と、２つの２分割受光素子３４、３５とを備えている。４分割検出素子３３は、回折格子２９によって３つに分割された光
ビームの０次光をＡ〜Ｄの４つの受光面で受光する。一方、２分割受光素子３４は、回折格子２９によって分割された光ビームの１次光をＥ及びＦの２つの受光面で受光する。同様に２分割受光素子３５は、回折格子２９によって分割された光ビームのうち、残りの１次光をＧ及びＨの２つの受光面で受光する。これら各受光面Ａ〜Ｈはそれぞれの受光光量に応じた受光信号Ａ〜Ｈを生成し、サーボエラー信号生成回路４（図１）に供給する。そしてサーボエラー信号生成回路４は、受光信号Ａ〜Ｈに基づいて再生ＲＦ信号、フォーカスエラー信号ＦＥ及びトラッキングエラー信号ＴＥを生成する。
【００３５】
これに対して第２の光検出部３２は、第１の光検出部３１近傍に配設された１つ以上の受光面からなる。図３に示した例では、２分割受光素子３４の外方に設けられた受光面Ｉと、２分割受光素子３５の外方に設けられた受光面Ｊとの２つの受光面で第２の光検出部３２が構成され、上述した迷光を受光してその受光光量に応じた受光信号Ｉ及びＪを生成し、サーボエラー信号生成回路４（図１）に供給する。ちなみに迷光は、図３に一点鎖線で示す範囲内に照射され、第２の光検出部３２はこの照射範囲内であればいかなる位置に配置しても良く、受光面の数も２つに限定されない。
【００３６】
この第２の光検出部８２によって迷光を検出するメカニズムを、図４を用いて説明する。図４（Ａ）に示すように、対物レンズ２４による光ビームの焦点を第１の記録層Ｌ０に合致させた状態において、光ビームの一部は第２の記録層Ｌ１に到達して反射され、これが迷光として、点線で示される経路を通ってフォトディテクタ２６に照射される。この結果、フォトディテクタ２６上には、第１の記録層Ｌ０で反射された戻り光によるスポットＳＰ０と、迷光によるスポットＳＰ１とが形成される。
【００３７】
また図４（Ｂ）に示すように、対物レンズ３４による光ビームの焦光点を第２の記録層Ｌ１に合致させた状態において、光ビームの一部は第１の記録層Ｌ０に到達して反射され、これが迷光として、点線で示される経路を通ってフォトディテクタ２６に照射される。この結果、フォトディテクタ２６上には、第２の記録層Ｌ１で反射された戻り光によるスポットＳＰ１と、迷光によるスポットＳＰ０とが形成される。
【００３８】
なお、１層ディスクにおいては、記録層に合焦した状態では迷光は発生しない。このため、光ビームが目標の記録層に合焦した状態において、第２の光検出部８２が生成する受光信号Ｉ及びＪの信号レベルが増大している場合、光ディスク１００は複数の記録層を有していると判定することができる。
【００３９】
すなわちサーボエラー信号生成回路４は受光信号Ｉ及びＪに基づき、次式を用いて、迷光の強度を表す迷光信号Ｘを生成し、アナログディジタル変換器５を介してマイクロコンピュータ６に供給する。
【００４０】
Ｘ＝Ｉ＋Ｊ                        ……（２）
【００４１】
図５（Ａ）は、１層ディスクに対して球面収差を補正した状態で、対物レンズ３４をカバー層側から接近させた状態（すなわち光ビームの焦点をカバー層側から接近させたとき）における和信号ＳＵＭ、フォーカスエラー信号ＦＥ及び迷光信号Ｘの波形を示す。
【００４２】
和信号ＳＵＭはＬ０層に対する合焦点にピークを有する山を示し、フォーカスエラー信号ＦＥは合焦点にゼロクロスを有するＳ字波形を示している。また迷光信号Ｘは、Ｌ０層に対する合焦点の前後にピークを有し、合焦点において谷を有する２つ山波形を示している。この合焦点の前後のピークは、Ｌ０層に合焦していない状態における当該Ｌ０層からの反射、すなわち迷光によるものである。
【００４３】
一方、図５（Ｂ）は、２層ディスクのＬ０層に対して球面収差を補正した状態で、対物レンズ３４をカバー層側から接近させた状態を示す。
【００４４】
和信号ＳＵＭは、Ｌ１層及びＬ０層に対する合焦点にピークを有する山を示し、フォーカスエラー信号ＦＥはそれぞれの合焦点にゼロクロスを有するＳ字波形を示している。これに対して迷光信号Ｘは、Ｌ１層の合焦点からＬ０層の合焦点にかけて連続した山を示している。この連続した山は、Ｌ１層に合焦した状態におけるＬ０層からの迷光、及びＬ０層に合焦した状態におけるＬ１層からの迷光によるものである。
【００４５】
このため、合焦点において迷光信号Ｘのレベルが所定閾値以下の場合はＳＬ（１層）ディスクであり、合焦点において迷光信号Ｘのレベルが所定閾値以上の場合はＤＬ（２層）ディスクであると判定することができる。
【００４６】
そして、光ディスク装置１のマイクロコンピュータ６は、光ディスク１００が装着されると和信号ＳＵＭ、フォーカスエラー信号ＦＥ及び迷光信号Ｘに基づいて、−ＳＬ又は−ＤＬのどちらか、及び−ＲＥ、−Ｒ、−ＲＯＭのいずれであるかというディスク種別を判別し、当該判別した種別に応じて光ビームの出力やフォーカスバイアス、球面収差補正値を設定して記録・再生を開始する。
【００４７】
ここで、−ＲＥディスク及び−Ｒディスクはそのフォーマットが類似しているため、同一の設定で再生を行った後、読み出したディスク情報に基づいてディスク種別を判別することができる。このため光ディスク装置１では、ディスク種別判別処理において−Ｒディスクを−ＲＥディスクと同一として扱い、ＳＬ−ＲＥ、ＳＬ−ＲＯＭ、ＤＬ−ＲＥ、ＤＬ−ＲＯＭの４種を判別する。
【００４８】
（３）光ディスク装置によるディスク種別の判別
次に、光ディスク装置１によるディスク種別の判別処理を詳細に説明する。
【００４９】
光ディスク装置１のマイクロコンピュータ６は、光ディスク１００が装着されたことを検出すると、まず球面収差補正部１３及びレーザパワー設定部１４を制御して、球面収差補正値及び光ビームのレーザパワーをそれぞれ所定の初期値に設定する。
【００５０】
このときの球面収差補正値は、ＳＬディスク及びＤＬディスクのＬ０層のカバー厚である１００[μｍ]に応じた値である。またレーザパワーは、ＤＬ−ＲＥディスクの再生用パワーと同等のパワーである。これは、ブルーレイディスクの各種ディスクの中でＤＬ−ＲＥディスクが最も記録層の反射率が低いため、当該ＤＬ−ＲＥディスクを確実に再生できるようにするためである。
【００５１】
またマイクロコンピュータの演算部１０は、和信号ＳＵＭ及びフォーカスエラー信号ＦＥに対するゲインをそれぞれ所定の初期値に設定する。
【００５２】
このときの和信号ゲインは、ＤＬ−ＲＥディスクに対応した値である。これは、後述するディスク種別判定処理において、和信号ＳＵＭの信号レベルに基づいてカバー層表面及び記録層を検出することから、記録層の反射率が最も低いＤＬ−ＲＥディスクの記録層をも確実に検出できるようにするためである。
【００５３】
また、このときのフォーカスエラー信号ゲインは、ＳＬ−ＲＥディスクに対応した値である。これは、フォーカスエラー信号ＦＥの信号レベルに基づいてディスク種別を判別するため、最も反射率の低いＤＬ−ＲＥのフォーカスエラー信号ＦＥが所定の閾値以下になるようにするためである。
【００５４】
このようにして球面収差、レーザパワー、和信号ゲイン及びフォーカスエラー信号ゲインが初期設定されると、マイクロコンピュータ６はディスク種別判別における第１サーチとして、対物レンズ２４を光ディスク１００から充分に遠ざけた後レーザダイオード２０を発光させ、和信号ＳＵＭ、フォーカスエラー信号ＦＥ及び迷光信号Ｘをモニタしながら対物レンズ２４を光ディスク１００の表面に接近させていく。
【００５５】
このとき区間認識手段としての演算部１０は、和信号ＳＵＭと区間検出閾値ＴＨsectとを比較し、当該和信号ＳＵＭの信号レベルが区間検出閾値ＴＨsectを越えている区間を、カバー層表面又は記録層が存在する区間である検出区間ＳＣｎ（ｎ＝１，２、……）として順次認識する。
【００５６】
例えば図６はＤＬ−ＲＯＭディスクに対する第１サーチを示し、カバー層表面を検出してなる第１の検出区間ＳＣ１と、Ｌ１層及びＬ０層を一体で検出した第２の検出区間ＳＣ２とが検出されている。ここで、上述したように第１サーチではＤＬ−ＲＥディスク用のレーザパワーが用いられているため、当該ＤＬ−ＲＥディスク用よりも記録層の反射率が高いＤＬ−ＲＯＭディスクでは、記録層において和信号ＳＵＭ、フォーカスエラー信号ＦＥ及び迷光信号Ｘが何れも飽和していることがわかる。
【００５７】
さらにマイクロコンピュータ６の演算部１０は、各検出区間ＳＣｎにおける和信号ＳＵＭのピーク値、フォーカスエラー信号ＦＥの最大振幅、及び迷光信号Ｘのボトム値を検出し、それぞれを和信号ピーク値Ｐｎ、フォーカスエラー最大振幅Ｗｎ、及び迷光信号ボトム値Ｂｎとして、図示しないＲＡＭ（Random Access Memory）に記憶する。図６では第１の検出期間ＳＣ１及び第２の検出期間ＳＣ２が認識されているため、それぞれについての和信号ピーク値Ｐ１及びＰ２、フォーカスエラー最大振幅Ｗ１及びＷ２、迷光信号ボトム値Ｂ１及びＢ２が記憶される。
【００５８】
なおマイクロコンピュータ６は、対物レンズ２４が光ディスク１００に接触することを防止するため、和信号ＳＵＭの信号レベルが区間検出閾値ＴＨsectを下回った後、所定の再検出期間Ｔｒ以内に次の検出区間ＳＣｎが検出されなかった場合、第１のサーチを終了する。
【００５９】
ディスク種別識別手段としての演算部１０は、このようにして第１サーチで検出した和信号ピーク値Ｐｎ、フォーカスエラー最大振幅Ｗｎ及び迷光信号ボトム値Ｂｎに基づき、ＤＬ−ＲＥ、ＤＬ−ＲＯＭ、ＳＬの３種を判別する。なお、この時点ではＳＬ−ＲＥ及びＳＬ−ＲＯＭは判別できない。
【００６０】
まず演算部１０は、最後の検出区間ＳＣｎをＬ０層として認識し、第１のＤＬ判定として、この検出区間における迷光信号ボトム値Ｂｎと、第１の迷光ボトム閾値ＴＨｂ１とを比較する。そして、迷光信号ボトム値Ｂｎが第１の迷光ボトム閾値ＴＨｂ１以上のとき、他の記録層からの迷光が発生しているものとしてＤＬディスクと判定する。
【００６１】
図６は第１サーチにおけるＤＬ−ＲＯＭディスクの信号波形を示し、最後の検出区間ＳＣ２における迷光信号ボトム値Ｂ２が第１の迷光ボトム閾値ＴＨｂ１以上であるため、ＤＬディスクと判定することができる。
【００６２】
ここで、ＳＬ−ＲＯＭディスクは記録層の反射率が高いため、例えば、光ピックアップ５の構造上の理由から記録層の反射光が迷光信号Ｘに影響してしまうなどの理由により、１層ディスクであるにもかかわらず迷光信号ボトム値Ｂｎが大きい値を示すことが考えられる。
【００６３】
この場合、ＳＬ−ＲＯＭディスクの迷光信号ボトム値ＢｎとＤＬ−ＲＥディスクの迷光信号ボトム値Ｂｎとが接近し、光ディスクのバラツキや第１の迷光ボトム閾値ＴＨｂ１の設定値によっては、ＳＬ−ＲＯＭディスクをＤＬディスクと誤判定する可能性がある。
【００６４】
このため光ディスク装置１では、第１の迷光ボトム閾値ＴＨｂ１をやや高めに設定して、当該第１の迷光ボトム閾値ＴＨｂ１を用いる第１のＤＬ判定においては、迷光信号ボトム値Ｂｎが大きくＤＬディスクであることが確実なディスクのみをＤＬディスクとして判定するようにした。
【００６５】
ところがこれにより、第１のＤＬ判定では、記録層の反射率が低いＤＬ−ＲＥディスクはＤＬディスクと判定されない可能性があるという問題が生じる。
【００６６】
このため光ディスク装置１は、フォーカスエラー最大振幅Ｗｎと迷光信号ボトム値Ｂｎとを用いる第２のＤＬ判別を併用することにより、ＤＬディスクとＳＬディスクを確実に判別するようになされている。
【００６７】
すなわち演算部１０は第２のＤＬ判別として、最後の検出区間ＳＣｎにおける迷光信号ボトム値Ｂｎが第２の迷光ボトム閾値ＴＨｂ２以上であり、なおかつフォーカスエラー最大振幅Ｗｎが第１のフォーカスエラー閾値ＴＨｗ１以下の場合、ＤＬディスクと判定する。これは、ＤＬ−ＲＥディスクは記録層の反射率が低いため、合焦点前後におけるフォーカスエラー信号ＦＥのＳ字波形振幅が小さいのに対し、ＳＬディスクは記録層の反射率が高いためＳ字波形振幅が大きいという特徴を利用したものである。ここで、第２の迷光ボトム閾値ＴＨｂ２は第１の迷光ボトム閾値ＴＨｂ１よりも小さい値である。
【００６８】
例えば図７はＳＬ−ＲＯＭディスクに対する第１サーチを示し、カバー層表面を検出してなる第１の検出区間ＳＣ１と、Ｌ０層を検出した第２の検出区間ＳＣ２とが検出されている。上述したように第１サーチではＤＬ−ＲＥディスク用のレーザパワーが用いられているため、当該ＤＬ−ＲＥディスクよりも記録層の反射率が高いＤＬ−ＲＯＭディスクでは、記録層において和信号ＳＵＭ及びフォーカスエラー信号ＦＥが飽和している。この場合、最後の検出区間ＳＣ２における迷光信号ボトム値Ｂ２が第２の迷光ボトム閾値ＴＨｂ２以上であるが、フォーカスエラー最大振幅Ｗ２が第１のフォーカスエラー閾値ＴＨｗ１より大きいため、ＳＬディスクと判定される。
【００６９】
一方、図８はＤＬ−ＲＥディスクに対する第１サーチを示し、カバー層表面を検出してなる第１の検出区間ＳＣ１と、Ｌ１層及びＬ０層を一体で検出した第２の検出区間ＳＣ２とが検出されている。この場合、最後の検出区間ＳＣ２における迷光信号ボトム値Ｂ２は第１の迷光ボトム閾値ＴＨｂ１未満であるため、上述した第１のＤＬ判定ではＤＬディスクと判定されないものの、迷光信号ボトム値Ｂ２が第２の迷光ボトム閾値ＴＨｂ２以上であり、なおかつフォーカスエラー最大振幅Ｗ２が第１のフォーカスエラー閾値ＴＨｗ１以下の場合、ＤＬディスクと判定される。
【００７０】
そして、第１及び第２のＤＬ判定によってＤＬディスクと判定されなかったディスクはＳＬディスクと判定される。すなわち図９はＳＬ−ＲＥディスクに対する第１サーチを示し、カバー層表面を検出してなる第１の検出区間ＳＣ１と、Ｌ０層を検出した第２の検出区間ＳＣ２とが検出されている。ＳＬ−ＲＥディスクはＳＬ−ＲＯＭディスクに比べて記録層反射率が低いため、ＤＬ−ＲＥディスク用のレーザパワーを用いているにもかかわらず、１層ディスクの特徴である合焦点における迷光信号Ｘの谷が充分に落ち込み、迷光信号ボトム値Ｂ２が第２の迷光ボトム閾値ＴＨｂ２未満であるため、ＳＬディスクと判定される。
【００７１】
さらに演算部１０は第１サーチにおいて、最後の検出区間ＳＣｎにおけるフォーカスエラー最大振幅Ｗｎに基づき、ＤＬディスクと判定されたディスクに対してＤＬ−ＲＥディスクかＤＬ−ＲＯＭディスクかをさらに判定する。これは、ＤＬ−ＲＯＭディスクの記録層反射率がＤＬ−ＲＥディスクの反射率よりも高いことを利用している。
【００７２】
すなわち演算部１０はＤＬ−ＲＯＭ／ＲＥ判別として、最後の検出区間ＳＣｎにおけるフォーカスエラー最大振幅Ｗｎと第２のフォーカスエラー閾値ＴＨｗ２とを比較する。そして、フォーカスエラー最大振幅Ｗｎが第２のフォーカスエラー閾値ＴＨｗ２以上の場合ＤＬ−ＲＯＭディスクと判定し、第２のフォーカスエラー閾値ＴＨｗ２未満の場合ＤＬ−ＲＥディスクと判定する。
【００７３】
例えば図６において、最後の検出区間ＳＣ２におけるフォーカスエラー最大振幅Ｗ２は第２のフォーカスエラー閾値ＴＨｗ２以上であるため、このディスクはＤＬ−ＲＯＭディスクと判定される。また図８において、最後の検出区間ＳＣ２におけるフォーカスエラー最大振幅Ｗ２は第２のフォーカスエラー閾値ＴＨｗ２未満であるため、ＤＬ−ＲＥディスクと判定される。
【００７４】
かくして光ディスク装置１は第１サーチによってＤＬ−ＲＥ、ＤＬ−ＲＯＭ、ＳＬの３種を判別する。
【００７５】
これに加えて光ディスク装置１は、装着された光ディスク１００がＳＬディスクと判別した場合、ＳＬ−ＲＥかＳＬ−ＲＯＭかを判別するための第２サーチを行う。この第２サーチにおいて演算部１０は、ＳＬ−ＲＥ及びＳＬ−ＲＯＭの記録層反射率の違いによるフォーカスエラー信号ＦＥの振幅の差に基づいて判別を行う。
【００７６】
すなわちマイクロコンピュータ６は、レーザパワー、和信号ＳＵＭ及びフォーカスエラー信号ＦＥに対するゲインを、いずれもＳＬ−ＲＥディスクに対応した値に設定し、対物レンズ２４を光ディスク１００から充分に遠ざけた後レーザダイオード２０を発光させ、和信号ＳＵＭ、フォーカスエラー信号ＦＥ及び迷光信号Ｘをモニタしながら対物レンズ２４を光ディスク１００の表面に接近させていく。
【００７７】
このときマイクロコンピュータ６の演算部１０は、和信号ＳＵＭと第２の区間検出閾値ＴＨsect２とを比較し、当該和信号ＳＵＭの信号レベルが第２の区間検出閾値ＴＨsect２
を越えている区間を、カバー層表面又は記録層が存在する区間である検出区間ＳＣｎ（ｎ＝１，２、……）として順次認識する。
【００７８】
例えば図１０はＳＬ−ＲＯＭディスクに対する第２サーチを示し、カバー層表面を検出してなる第１の検出区間ＳＣ１と、Ｌ１層及びＬ０層を一体で検出した第２の検出区間ＳＣ２とが検出されている。
【００７９】
そしてマイクロコンピュータ６の演算部１０は、各検出区間ＳＣｎにおけるフォーカスエラー最大振幅Ｗｎを図示しないＲＡＭに記憶する。図１０では第１の検出期間ＳＣ１及び第２の検出期間ＳＣ２が認識されているため、それぞれについてのフォーカスエラー最大振幅Ｗ１及びＷ２が記憶される。
【００８０】
なおマイクロコンピュータ６は、対物レンズ２４が光ディスク１００に接触することを防止するため、和信号ＳＵＭの信号レベルが第２の区間検出閾値ＴＨsect２を下回った後、所定の再検出期間Ｔｒ以内に次の検出区間ＳＣｎが検出されなかった場合、第２サーチを終了する。
【００８１】
マイクロコンピュータ６の演算部１０は、このようにして第２サーチで検出したフォーカスエラー最大振幅Ｗｎに基づき、ＳＬ−ＲＯＭとＳＬ−ＲＥとを判別する。
【００８２】
すなわち演算部１０は、最後の検出区間ＳＣｎを１層ディスクの記録層（Ｌ０層）として認識し、ＳＬ−ＲＯＭ／ＲＥ判別として、最後の検出区間ＳＣｎにおけるフォーカスエラー最大振幅Ｗｎと第３のフォーカスエラー閾値ＴＨｗ２３を比較する。そして、フォーカスエラー最大振幅Ｗｎが第３のフォーカスエラー閾値ＴＨｗ３以上の場合ＳＬ−ＲＯＭディスクと判定し、第３のフォーカスエラー閾値ＴＨｗ３未満の場合ＤＬ−ＲＥディスクと判定する。
【００８３】
図１０では、カバー層表面を検出してなる第１の検出区間ＳＣ１と、Ｌ０層を検出した第２の検出区間ＳＣ２とが検出されている。この場合、最後の検出区間ＳＣ２におけるフォーカスエラー最大振幅Ｗ２が第３のフォーカスエラー閾値ＴＨｗ３以上のため、ＳＬ−ＲＯＭディスクと判定される。
【００８４】
一方、図１１はＳＬ−ＲＥディスクに対する第２サーチを示す。この場合、カバー層表面における和信号ＳＵＭの信号レベルが小さいため当該カバー層表面は検出区間として認識されず、Ｌ０層による検出区間ＳＣ１のみが検出されている。そして、最後の検出区間ＳＣ１におけるフォーカスエラー最大振幅Ｗ１が第３のフォーカスエラー閾値ＴＨｗ３未満のため、ＳＬ−ＲＥディスクと判定される。
【００８５】
かくして光ディスク装置１は、ＳＬ−ＲＥ、ＳＬ−ＲＯＭ、ＤＬ−ＲＥ、ＤＬ−ＲＯＭの４種を判別する。
【００８６】
（４）ディスク種別判別処理手順
次に、マイクロコンピュータ６がディスク種別判別プログラムを実行することにより、装着された光ディスク１００の種別を判別する際の処理手順を、フローチャートを用いて詳細に説明する。
【００８７】
すなわちマイクロコンピュータ６は、図１２に示す第１のディスク種別判別処理手順ＲＴ１の開始ステップから入って次のステップＳＰ１に移り、レーザパワーをＤＬ−ＲＥディスクの再生時と同等にセットして第１のサーチを開始し、次のステップＳＰ２に移る。
【００８８】
ステップＳＰ２においてマイクロコンピュータ６は、和信号ＳＵＭの信号レベルが区間検出閾値ＴＨsectを越えている区間を、カバー層表面又は記録層が存在する区間である検出区間ＳＣｎとして順次認識するとともに、当該検出区間ＳＣｎにおける和信号ピーク値Ｐｎ、フォーカスエラー最大振幅Ｗｎ、及び迷光信号ボトム値Ｂｎを取得し、最後の検出区間ＳＣｎを検出し終わると次のステップＳＰ３に移る。
【００８９】
ステップＳＰ３においてマイクロコンピュータ６は、第１のＤＬ判定として、最後の検出区間における迷光信号ボトム値Ｂｎが第１の迷光ボトム閾値ＴＨｂ１以上か否かを判定する。ステップＳＰ３において肯定結果が得られた場合、このことは迷光信号ボトム値Ｂｎが第１の迷光ボトム閾値ＴＨｂ１以上であり、光ディスク１００がＤＬディスクと確定できるほど迷光光量が多いことを表しており、このときマイクロコンピュータ６はステップＳＰ４に移って、当該光ディスク１００の種別をＤＬディスクと判定した後、次のステップＳＰ７に移る。
【００９０】
これに対し、ステップＳＰ３において否定結果が得られた場合、このことは迷光信号ボトム値Ｂｎが第１の迷光ボトム閾値ＴＨｂ１未満であり、光ディスク１００の層数を確定できないため、マイクロコンピュータ６はステップＳＰ５に移って第２のＤＬ判定を行う。
【００９１】
ステップＳＰ５においてマイクロコンピュータ６は、最後の検出区間における迷光信号ボトム値Ｂｎが第２の迷光ボトム閾値ＴＨｂ２以上か否かを判定する。ステップＳＰ５において肯定結果が得られた場合、このことは迷光信号ボトム値Ｂｎが第２の迷光ボトム閾値ＴＨｂ２以上であり、光ディスク１００がＤＬディスクである可能性があることを表しており、このときマイクロコンピュータ６はステップＳＰ６に移る。
【００９２】
ステップＳＰ６においてマイクロコンピュータ６は、最後の検出区間におけるフォーカスエラー振幅Ｗｎが第１のフォーカスエラー閾値ＴＨｗ１以下か否かを判定する。ステップＳＰ６において肯定結果が得られた場合、このことはフォーカスエラー振幅Ｗｎが第１のフォーカスエラー閾値ＴＨｗ１以下であり、光ディスク１００がＤＬディスクと確定できるほどフォーカスエラー振幅が小さいことを表しており、このときマイクロコンピュータ６はステップＳＰ４に移って、当該光ディスク１００の種別をＤＬディスクと判定した後、ステップＳＰ７に移る。
【００９３】
ステップＳＰ７においてマイクロコンピュータ６は、最後の検出区間におけるフォーカスエラー振幅Ｗｎが第２のフォーカスエラー閾値ＴＨｗ２以上か否かを判定する。ステップＳＰ７において肯定結果が得られた場合、このことはフォーカスエラー振幅Ｗｎが第２のフォーカスエラー閾値ＴＨｗ２以上であり、光ディスク１００がＤＬ−ＲＯＭディスクと確定できるほどフォーカスエラー振幅が大きいことを表しており、このときマイクロコンピュータ６はステップＳＰ８に移って、当該光ディスク１００の種別をＤＬ−ＲＯＭディスクと判定した後、ステップＳＰ１１に移って処理を終了する。
【００９４】
これに対し、ステップＳＰ７において否定結果が得られた場合、このことはフォーカスエラー振幅Ｗｎが第２のフォーカスエラー閾値ＴＨｗ２未満であり、光ディスク１００がＤＬ−ＲＥディスクと確定できるほどフォーカスエラー振幅が小さいことを表しており、このときマイクロコンピュータ６はステップＳＰ９に移って、当該光ディスク１００の種別をＤＬ−ＲＥディスクと判定した後、ステップＳＰ１１に移って処理を終了する。
【００９５】
一方、ステップＳＰ５において否定結果が得られた場合、このことは迷光信号ボトム値Ｂｎが第２の迷光ボトム閾値ＴＨｂ２未満であり、光ディスク１００がＳＬディスクであると確定できるほど迷光光量が少ないことを表しており、このときマイクロコンピュータ６はステップＳＰ１０に移る。
【００９６】
また、ステップＳＰ６において否定結果が得られた場合、このことはフォーカスエラー振幅Ｗｎが第１のフォーカスエラー閾値ＴＨｗ１より大きく、光ディスク１００がＳＬディスクと確定できるほどフォーカスエラー振幅が大きいことを表しており、このときもマイクロコンピュータ６はステップＳＰ１０に移る。
【００９７】
そして、ステップＳＰ１０においてマイクロコンピュータ６は、当該光ディスク１００の種別をＳＬディスクと判定した後、ＳＬ−ＲＯＭと−ＲＥを判別する第２のサーチを実行し、ステップＳＰ１１に移って処理を終了する。
【００９８】
そしてマイクロコンピュータ６は、図１３に示す第２のディスク種別判別処理手順ＲＴ２の開始ステップから入って次のステップＳＰ２１に移り、レーザパワーをＳＬ−ＲＥディスクの再生時と同等にセットして第２のサーチを開始し、次のステップＳＰ２２に移る。
【００９９】
ステップＳＰ２２においてマイクロコンピュータ６は、和信号ＳＵＭの信号レベルが第２の区間検出閾値ＴＨsect２を越えている区間を、カバー層表面又は記録層が存在する区間である検出区間ＳＣｎとして順次認識するとともに、当該検出区間ＳＣｎにおけるフォーカスエラー最大振幅Ｗｎを取得し、最後の検出区間ＳＣｎを検出し終わると次のステップＳＰ２３に移る。
【０１００】
ステップＳＰ２３においてマイクロコンピュータ６は、最後の検出区間におけるフォーカスエラー振幅Ｗｎが第３のフォーカスエラー閾値ＴＨｗ３以上か否かを判定する。ステップＳＰ６において肯定結果が得られた場合、このことはフォーカスエラー振幅Ｗｎが第３のフォーカスエラー閾値ＴＨｗ３以上であり、光ディスク１００がＳＬ−ＲＯＭディスクと確定できるほどフォーカスエラー振幅が大きいことを表しており、このときマイクロコンピュータ６はステップＳＰ２４に移って、当該光ディスク１００の種別をＳＬ−ＲＯＭディスクと判定した後、ステップＳＰ２６に移って処理を終了する。
【０１０１】
これに対し、ステップＳＰ２３において否定結果が得られた場合、このことはフォーカスエラー振幅Ｗｎが第３のフォーカスエラー閾値ＴＨｗ３未満であり、光ディスク１００がＳＬ−ＲＥディスクと確定できるほどフォーカスエラー振幅が小さいことを表しており、このときマイクロコンピュータ６はステップＳＰ２５に移って、当該光ディスク１００の種別をＳＬ−ＲＥディスクと判定した後、ステップＳＰ２６に移って処理を終了する。
【０１０２】
（５）動作及び効果
以上の構成において、マイクロコンピュータ６の演算部１０は、光ディスク１００が装着されると、ディスク種別を判別すべく、ＤＬ−ＲＥディスクの再生用レーザパワーで第１サーチを実行し、和信号ＳＵＭの信号レベルが区間検出閾値ＴＨsectを越えている区間を検出区間ＳＣｎとして順次認識する。
【０１０３】
そして演算部１０は、まず、最後の検出区間ＳＣｎにおける迷光信号Ｘの信号レベルに基づく迷光光量による第１のＤＬ判別を行う。すなわち演算部１０は、「最後の検出区間ＳＣｎにおける迷光信号ボトム値Ｂｎが第１の迷光ボトム閾値ＴＨｂ１以上」という第１のＤＬ判定条件を満たしている場合、光ディスク１００がＤＬディスクであると確定できるほど迷光光量が多いことから、ディスク種別をＤＬディスクと判定する。
【０１０４】
また演算部１０は、記録層反射率が高いことによりＳＬディスクであるにもかかわらず迷光信号ボトム値Ｂｎが大きい値を示すことがあるＳＬ−ＲＯＭディスクと、記録層反射率が低いことによりＤＬディスクであるにもかかわらず迷光信号ボトム値Ｂｎが小さい値を示すことがあるＤＬ−ＲＥディスクとを確実に判別するため、ＳＬ−ＲＯＭディスクのＳ字波形振幅がＤＬ−ＲＥディスクに比べて大きいことを利用した第２のＤＬ判別を行う。
【０１０５】
すなわち第１サーチでは、レーザパワーが反射率の最も低いＤＬ−ＲＥディスクの再生用にセットされていることから、反射率の高いＳＬ−ＲＯＭディスクのフォーカスエラー最大振幅Ｗｎは飽和するほど大きな値になる。
【０１０６】
従って演算部１０は、「迷光信号ボトム値Ｂｎが第２の迷光ボトム閾値ＴＨｂ２以上かつフォーカスエラー最大振幅Ｗｎが第１のフォーカスエラー閾値ＴＨｗ１以下」という第２のＤＬ判定条件を満たしている場合、ディスク種別をＤＬディスクと判定する。
【０１０７】
また演算部１０は、第１及び第２のＤＬ判定条件をいずれも満たしていない場合、ディスク種別をＳＬディスクと判定する。
【０１０８】
そして演算部１０は、第１サーチによってＤＬディスクと判定した光ディスク１００に対し、ＤＬ−ＲＯＭディスクの記録層反射率がＤＬ−ＲＥディスクよりも高いことを利用して、最後の検出区間ＳＣｎにおけるフォーカスエラー最大振幅Ｗｎに基づいてＤＬ−ＲＥディスクかＤＬ−ＲＯＭディスクかをさらに判定する。
【０１０９】
すなわち演算部１０はＤＬ−ＲＯＭ／ＲＥ判別として、最後の検出区間ＳＣｎにおけるフォーカスエラー最大振幅Ｗｎが第２のフォーカスエラー閾値ＴＨｗ２以上の場合、ＤＬ−ＲＯＭディスクと判定し、第２のフォーカスエラー閾値ＴＨｗ２未満の場合、ＤＬ−ＲＥディスクと判定する。
【０１１０】
さらに演算部１０は、第１サーチで判別されたＳＬディスクに対し、ＳＬ−ＲＥディスクの再生用レーザパワーで第２サーチを実行し、和信号ＳＵＭの信号レベルが区間検出閾値ＴＨsectを越えている区間を検出区間ＳＣｎとして順次認識する。
【０１１１】
そして演算部１０は、ＳＬ−ＲＯＭディスクの記録層反射率がＳＬ−ＲＥディスクよりも高いことを利用して、最後の検出区間ＳＣｎにおけるフォーカスエラー最大振幅Ｗｎに基づいてＳＬ−ＲＥディスクかＳＬ−ＲＯＭディスクかをさらに判別する。
【０１１２】
すなわち演算部１０はＳＬ−ＲＯＭ／ＲＥ判別として、最後の検出区間ＳＣｎにおけるフォーカスエラー最大振幅Ｗｎが第３のフォーカスエラー閾値ＴＨｗ３以上の場合、ＳＬ−ＲＯＭディスクと判定し、第３のフォーカスエラー閾値ＴＨｗ３未満の場合、ＳＬ−ＲＥディスクと判定する。
【０１１３】
以上の構成によれば、和信号ピーク値Ｐｎ、フォーカスエラー最大振幅Ｗｎ及び迷光信号ボトム値Ｂｎを用いた種別判定を行うことにより、光ディスク１００に対してフォーカスサーボが掛かる前の時点で、最大２回のサーチを行うだけでディスク種別を高速かつ確実に判別することができる。
【０１１４】
（６）他の実施の形態
なお上述の実施の形態においては、第１サーチではレーザパワー及び和信号ゲインをＤＬ−ＲＥディスクに対応した値にセットするとともに、フォーカスエラー信号ゲインをＳＬ−ＲＥディスクに対応した値にセットするようにしたが、本発明はこれに限らず、上述した第１及び第２のＤＬ判別やＤＬ−ＲＯＭ／ＲＥ判別を確実にできるよう、これらの設定を光ディスク装置１の特性や動作状態等に応じて適宜変更しても良い。
【０１１５】
同様に上述の実施の形態においては、第２サーチではレーザパワー、和信号ゲイン及びフォーカスエラー信号ゲインをＳＬ−ＲＥディスクに対応した値にセットするようにしたが、本発明はこれに限らず、上述したＳＬ−ＲＯＭ／ＲＥ判別を確実にできるよう、これらの設定を光ディスク装置１の特性や動作状態等に応じて適宜変更しても良い。
【０１１６】
また上述の実施の形態においては、第１サーチでＤＬディスクと判定した場合、当該第１サーチのフォーカスエラー最大振幅Ｗｎを用いてＤＬ−ＲＯＭ／ＲＥ判別を行うようにしたが、本発明はこれに限らず、ＳＬディスクと同様にＤＬディスクに対しても第２サーチを実行し、当該第２サーチのフォーカスエラー最大振幅Ｗｎを用いてＤＬ−ＲＯＭ／ＲＥ判別を行うようにしても良い。
【０１１７】
さらに上述の実施の形態においては、フォーカスエラー最大振幅Ｗｎを用いてＤＬ−ＲＯＭ／ＲＥ判別やＳＬ−ＲＯＭ／ＲＥ判別を行うようにしたが、本発明はこれに限らず、和信号ピーク値Ｐｎに基づいてＲＯＭ／ＲＥ判別を行うようにしたり、あるいは和信号ピーク値Ｐｎ及びフォーカスエラー最大振幅Ｗｎの双方に基づいてＲＯＭ／ＲＥ判別を行うようにしても良い。
【０１１８】
さらに上述の実施の形態においては、迷光信号ボトム値Ｂｎに基づく第１のＤＬ判別と、迷光信号ボトム値Ｂｎ及びフォーカスエラー最大振幅Ｗｎとに基づく第２のＤＬ判別を併用してＤＬ／ＳＬ判別を行うようにしたが、本発明はこれに限らず、第１又は第２のＤＬ判別の一方のみを用いてＤＬ／ＳＬ判別を行うようにしても良く、さらには迷光信号ボトム値Ｂｎと和信号ピーク値Ｐｎと用いてＤＬ／ＳＬ判別を行うようにしても良い。
【産業上の利用可能性】
【０１１９】
本発明の光ディスク装置、光ディスク種別判定方法及び光ディスク種別判定装置は、１層ディスク及び２層ディスクに対応した光ディスク装置に適用することができる。
【図面の簡単な説明】
【０１２０】
【図１】本発明の光ディスク装置の構成を示すブロック図である。
【図２】光ピックアップの構成を示す略線図である。
【図３】フォトディテクタの構造の説明に供する略線図である。
【図４】迷光の形成の説明に供する略線図である。
【図５】迷光信号の説明に供する特性曲線図である。
【図６】ＤＬ−ＲＯＭディスクに対する第１サーチの説明に供する特性曲線図である。
【図７】ＳＬ−ＲＯＭディスクに対する第１サーチの説明に供する特性曲線図である。
【図８】ＤＬ−ＲＥディスクに対する第１サーチの説明に供する特性曲線図である。
【図９】ＳＬ−ＲＥディスクに対する第１サーチの説明に供する特性曲線図である。
【図１０】ＳＬ−ＲＯＭディスクに対する第２サーチの説明に供する特性曲線図である。
【図１１】ＳＬ−ＲＥディスクに対する第１サーチの説明に供する特性曲線図である。
【図１２】第１のディスク種別判定処理手順のフローチャートである。
【図１３】第２のディスク種別判定処理手順のフローチャートである。
【符号の説明】
【０１２１】
１……光ディスク装置、３……光ピックアップ、４……アナログシグナルプロセッサ、５……アナログディジタル変換器、６……マイクロコンピュータ、７……ディジタルアナログ変換器、８……ドライバ回路、１０……演算部、１１……不揮発性メモリ、１２……サーボ制御部、１３……球面収差補正部、１４……レーザパワー設定部、２０……レーザダイオード、２３……エキスパンダ、２４……対物レンズ、２６……フォトディテクタ。
【図１】
2006155791.tif 000003
【図２】
2006155791.tif 000004
【図３】
2006155791.tif 000005
【図５】
2006155791.tif 000006
【図６】
2006155791.tif 000007
【図７】
2006155791.tif 000008
【図８】
2006155791.tif 000009
【図９】
2006155791.tif 000010
【図１０】
2006155791.tif 000011
【図１１】
2006155791.tif 000012
【図１２】
2006155791.tif 000013
【図１３】
2006155791.tif 000014
【図４】
2006155791.tif 000015